(57)【要約】  画像のスクロール時に画像にノイズパターンが重畳しにくい構成を提示することのできる表示装置を実現する。表示領域において、Ｘ＝Ａ／２＋Ａ・Ｑ（Ｑは０以上の整数）で表される、データ色ごとに見て行方向に連続するＸ個の第ｉの画素からなる配列パターン（Ｕ１）が、Ｑを行ごとに定められるものとして行方向に繰り返される。
2011065064.tif 000002
【特許請求の範囲】
【請求項１】
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなることを特徴とする表示装置。
【請求項２】
各上記第１の画素において、上記シーケンスにおける輝度の平均値は、各上記Ａフレームにおける１≦ｊ≦Ａの各整数ｊに対応する第ｊフレームのそれぞれについて、各上記第ｊフレームの輝度の平均値と各上記第ｊフレームから上記シーケンスにおけるＡ／２フレーム後のフレームの輝度の平均値とが互いに等しい値である場合に上記互いに等しい値に一致することを除いては、上記シーケンスでの、各上記第ｊフレームの輝度の平均値と各上記第ｊフレームからＡ／２フレーム後のフレームの輝度の平均値との間にあることを特徴とする請求項１に記載の表示装置。
【請求項３】
少なくとも１つの上記領域において、
Ｑ＝０である上記配列パターンが設けられていることを特徴とする請求項１または２に記載の表示装置。
【請求項４】
少なくとも１つの上記領域において、
Ａ／２は偶数でありＡ／２は２以上であることを特徴とする請求項１から３までのいずれか１項に記載の表示装置。
【請求項５】
少なくとも１つの上記領域において、
上記輝度変化パターンが時間軸方向に互いにＡ／２フレームだけずれた異なる上記シーケンスで輝度変化する上記第１の画素を含む上記配列パターンが設けられていることを特徴とする請求項４に記載の表示装置。
【請求項６】
少なくとも１つの上記領域において、
上記複数のシーケンスは２つのシーケンスであり、各フレームにおいて、正極性のデータ信号が上記２つのシーケンスの一方で輝度変化する上記第１の画素に書き込まれるとともに、負極性のデータ信号が上記２つのシーケンスの他方で輝度変化する上記第１の画素に書き込まれることを特徴とする請求項１から５までのいずれか１項に記載の表示装置。
【請求項７】
少なくとも１つの上記領域において、
上記アレイ方向が列方向であって、
上記複数のシーケンスはＸ＝２となる２つのシーケンスであり、各フレームにおいて、正極性の書き込み極性となる上記第１の画素と負極性の書き込み極性となる上記第１の画素とが交互に配置され、互いに同極性の書き込み極性となる上記第１の画素が、同じデータ信号線に接続されていることを特徴とする請求項１から６までのいずれか１項に記載の表示装置。
【請求項８】
少なくとも１つの上記領域において、
Ａに１フレーム期間を乗じた長さが１／７０秒よりも長く、１／３０秒に上記配列パターンに含まれる上記複数のシーケンスの数を乗じた値よりも短いことを特徴とする請求項１から７までのいずれか１項に記載の表示装置。
【請求項９】
少なくとも１つの上記領域において、
上記複数のシーケンスの数はＡ／２のＲ乗（Ｒは正の整数）であることを特徴とする請求項１から８までのいずれか１項に記載の表示装置。
【請求項１０】
Ｘは偶数であることを特徴とする請求項１から９までのいずれか１項に記載の表示装置。
【請求項１１】
２Ｘフレームの期間が２４Ｈｚ以上で繰り返されることを特徴とする請求項１から１０までのいずれか１項に記載の表示装置。
【請求項１２】
少なくとも１つの上記領域において、
上記配列パターンは、各フレームで書き込み極性が互いに異なる、同じシーケンスで輝度変化する上記第１の画素を同数ずつ含むことを特徴とする請求項１から１１までのいずれか１項に記載の表示装置。
【請求項１３】
少なくとも１つの上記領域において、
上記配列パターンは、各フレームで同じ上記データ色の互いに異なる書き込み極性の上記第１の画素を同数ずつ含むことを特徴とする請求項１から１２までのいずれか１項に記載の表示装置。
【請求項１４】
上記輝度変化パターンは矩形波状であることを特徴とする請求項１から１３までのいずれか１項に記載の表示装置。
【請求項１５】
上記輝度変化パターンは三角波状であることを特徴とする請求項１から１３までのいずれか１項に記載の表示装置。
【請求項１６】
上記輝度変化パターンは正弦波状であることを特徴とする請求項１から１３までのいずれか１項に記載の表示装置。
【請求項１７】
上記輝度変化パターンは台形波状であることを特徴とする請求項１から１３までのいずれか１項に記載の表示装置。
【請求項１８】
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成することを特徴とする表示装置の駆動方法。
【請求項１９】
各上記第１の画素において、上記シーケンスにおける輝度の平均値を、各上記Ａフレームにおける１≦ｊ≦Ａの各整数ｊに対応する第ｊフレームのそれぞれについて、各上記第ｊフレームの輝度の平均値と各上記第ｊフレームから上記シーケンスにおけるＡ／２フレーム後のフレームの輝度の平均値とが互いに等しい値である場合に上記互いに等しい値に一致させることを除いては、上記シーケンスでの、各上記第ｊフレームの輝度の平均値と各上記第ｊフレームからＡ／２フレーム後のフレームの輝度の平均値との間とすることを特徴とする請求項１８に記載の表示装置の駆動方法。
【請求項２０】
少なくとも１つの上記領域において、
Ｑ＝０である上記配列パターンを設けることを特徴とする請求項１８または１９に記載の表示装置の駆動方法。
【請求項２１】
少なくとも１つの上記領域において、
Ａ／２は偶数でありＡ／２は２以上であることを特徴とする請求項１８から２０までのいずれか１項に記載の表示装置の駆動方法。
【請求項２２】
少なくとも１つの上記領域において、
上記輝度変化パターンが時間軸方向に互いにＡ／２フレームだけずれた異なる上記シーケンスで輝度変化する上記第１の画素を含む上記配列パターンを設けることを特徴とする請求項２１に記載の表示装置の駆動方法。
【請求項２３】
少なくとも１つの上記領域において、
上記複数のシーケンスの数は２つのシーケンスであり、各フレームにおいて、正極性のデータ信号を上記２つのシーケンスの一方で輝度変化する上記第１の画素に書き込むとともに、負極性のデータ信号を上記２つのシーケンスの他方で輝度変化する上記第１の画素に書き込むことを特徴とする請求項１８から２２までのいずれか１項に記載の表示装置の駆動方法。
【請求項２４】
少なくとも１つの上記領域において、
上記アレイ方向が列方向であって、
上記複数のシーケンスはＸ＝２となる２つのシーケンスであり、各フレームにおいて、正極性の書き込み極性となる上記第１の画素と負極性の書き込み極性となる上記第１の画素とが交互に配置され、互いに同極性の書き込み極性となる上記第１の画素が、同じデータ信号線に接続されていることを特徴とする請求項１８から２３までのいずれか１項に記載の表示装置の駆動方法。
【請求項２５】
少なくとも１つの上記領域において、
Ａに１フレーム期間を乗じた長さは１／７０秒よりも長く、１／３０秒に上記配列パターンに含まれる上記複数のシーケンスの数を乗じた値よりも短いことを特徴とする請求項１８から２４までのいずれか１項に記載の表示装置の駆動方法。
【請求項２６】
少なくとも１つの上記領域において、
上記複数のシーケンスの数はＡ／２のＲ乗（Ｒは正の整数）であることを特徴とする請求項１８から２５までのいずれか１項に記載の表示装置の駆動方法。
【請求項２７】
Ｘは偶数であることを特徴とする請求項１８から２６までのいずれか１項に記載の表示装置の駆動方法。
【請求項２８】
２Ｘフレームの期間を２４Ｈｚ以上で繰り返すことを特徴とする請求項１８から２７までのいずれか１項に記載の表示装置の駆動方法。
【請求項２９】
少なくとも１つの上記領域において、
上記配列パターンは、各フレームで書き込み極性が互いに異なる、同じシーケンスで輝度変化する上記第１の画素を同数ずつ含むことを特徴とする請求項１８から２８までのいずれか１項に記載の表示装置の駆動方法。
【請求項３０】
少なくとも１つの上記領域において、
上記配列パターンは、各フレームで同じ上記データ色の互いに異なる書き込み極性の上記第１の画素を同数ずつ含むことを特徴とする請求項１８から２９までのいずれか１項に記載の表示装置の駆動方法。
【請求項３１】
上記輝度変化パターンは矩形波状であることを特徴とする請求項１８から３０までのいずれか１項に記載の表示装置の駆動方法。
【請求項３２】
上記輝度変化パターンは三角波状であることを特徴とする請求項１８から３０までのいずれか１項に記載の表示装置の駆動方法。
【請求項３３】
上記輝度変化パターンは正弦波状であることを特徴とする請求項１８から３０までのいずれか１項に記載の表示装置の駆動方法。
【請求項３４】
上記輝度変化パターンは台形波状であることを特徴とする請求項１８から３０までのいずれか１項に記載の表示装置の駆動方法。
【発明の詳細な説明】
【技術分野】
【０００１】
本発明は、中間調を画素の時間的な輝度変化によって表示する表示装置に関する。
【背景技術】
【０００２】
入力階調を、γ特性を切り替えながら複数回表示することで液晶表示装置の視野角特性を向上させる技術が提案されている。例えば特許文献１には、所定の画素単位内で高輝度画素と低輝度画素とに分割し、さらにフレームごとに明暗を変化させる構成が記載されている。【０００３】
図４０に、この特許文献１に記載された明暗の設定方法を示す。図４０の（ａ）では、各フレームでの４×４のマトリクス状の１６画素の明暗を、高輝度画素どうしが端辺で隣り合わないようにしつつ１：３の比率に分割している。図４０の（ｂ）では、各フレームでの４×４のマトリクス状の１６画素の明暗を、高輝度画素どうしが端辺で隣り合わないようにしつつ１：１の比率に分割している。また、図４０の（ａ）では、フレームごとの明暗が各画素について１：３の周期で変化するように設定されている。例えば画素５に着目すると、画素５は第１フレームから第４フレームに亘って明→暗→暗→暗と変化する。図４０の（ｂ）では、フレームごとの明暗が各画素について１：１の周期で変化するように設定されている。例えば画素６に着目すると、画素６は第１フレームから第４フレームに亘って明→暗→明→暗と変化する。【０００４】
特許文献１によれば、第１フレームから第４フレームの期間を６０Ｈｚとして明暗の時間比を１：１に設定して表示品位を確認したところ、ざらつき感が十分に緩和されフリッカも視認されない表示を実現することができるとされている。表示のざらつきに関しては目視評価がなされており、静止画とテレビ用途を想定した動画表示で評価が行われている。動画表示の場合に、画像が動くためざらつきがいっそう視認されにくく、気にならないことが記載されている。
【先行技術文献】
【特許文献】
【０００５】
【特許文献１】日本国公開特許公報「特開２００４−３０２２７０号公報（２００４年１０月２８日公開）」
【特許文献２】日本国公開特許公報「特開平７−１２１１４４号公報（１９９５年５月１２日公開）」
【特許文献３】日本国公開特許公報「特開２００６−１８４５１６号公報（２００６年７月１３日公開）」
【発明の概要】
【発明が解決しようとする課題】
【０００６】
しかしながら、上記従来の、時間的な輝度変化により表示を行う表示装置では、スクロール表示を行う場合に、特定のノイズパターンが画像に重畳されてざらつきとして認識され、表示品位が低下することが分かった。【０００７】
静止画を表示する場合には、各画素が明暗の変化を繰り返し、各フレームの画像が合成されて視認される結果、合成画像はざらつきの無い高表示品位の画像となる。従って、例えば図３７の静止画像はこの状態のまま視認される。しかし、画像が横方向（行方向、ロウ方向）にスクロールされる場合には、スクロール中にスクロール画像に対する視線追跡が行われるため、図３９に示すように、合成画像には一定の模様が浮き出るように重畳して観測され、視認画像の品質は低下する。図４０の（ａ）の場合には例えば２ｄｏｔ／フレームスクロールで特定パターンが重畳し、図４０の（ｂ）の場合には例えば１ｄｏｔ／フレームスクロールで特定パターンが重畳する。【０００８】
この一定の模様は、視線追跡に起因して、
（１）一定の時間間隔での観測画素の変化
（２）一定の時間間隔での画素の輝度変化
（３）輝度変化の異なる画素の一定間隔での配置
の３者の干渉によって引き起こされる。この現象は、画像が縦方向（列方向、コラム方向）などの他の方向にスクロールしても発生する。【０００９】
本発明は、上記従来技術の問題点に鑑みなされたものであり、その目的は、画像のスクロール時に画像にノイズパターンが重畳しにくい構成を提示することのできる表示装置および表示装置の駆動方法を実現することにある。
【課題を解決するための手段】
【００１０】
本発明の表示装置は、上記課題を解決するために、
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなることを特徴としている。【００１１】
上記の発明によれば、ＸはＡ／２の奇数倍で表される。スクロール画像が１フレームあたりに一定のｄｏｔ数で移動する場合に、連続するＮフレームの単位を考え、隣接するＮフレームの２つの単位の前半を期間α、後半を期間βとすると、Ｘのうちの各視点の画素に対して、α＋βの期間では明の輝度レベルとなるフレーム数と暗の輝度レベルとなるフレーム数とは互いに等しく、Ｎである。これにより、画像がスクロールされる間に、期間α＋βを通して、視認者の目に残像として映る明暗は互いに相殺される。【００１２】
従って、視点の画素で表示される画像をスクロール時間に亘って合成すると、均一な輝度の画像が得られる。これは、一定の階調データを入力し続けた場合に、スクロールによってもやはり均一な階調の画像が観測されることを意味しており、スクロールにより特定のノイズパターンが発生しないことを意味する。【００１３】
以上により、画像のスクロール時に画像にノイズパターンが重畳しにくい構成を提示することのできる表示装置を実現することができるという効果を奏する。【００１４】
本発明の表示装置の駆動方法は、上記課題を解決するために、
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成することを特徴としている。【００１５】
上記の発明によれば、ＸはＡ／２の奇数倍で表される。スクロール画像が１フレームあたりに一定のｄｏｔ数で移動する場合に、連続するＮフレームの単位を考え、隣接するＮフレームの２つの単位の前半を期間α、後半を期間βとすると、Ｘのうちの各視点の画素に対して、α＋βの期間では明の輝度レベルとなるフレーム数と暗の輝度レベルとなるフレーム数とは互いに等しく、Ｎである。これにより、画像がスクロールされる間に、期間α＋βを通して、視認者の目に残像として映る明暗は互いに相殺される。【００１６】
従って、視点の画素で表示される画像をスクロール時間に亘って合成すると、均一な輝度の画像が得られる。これは、一定の階調データを入力し続けた場合に、スクロールによってもやはり均一な階調の画像が観測されることを意味しており、スクロールにより特定のノイズパターンが発生しないことを意味する。【００１７】
以上により、画像のスクロール時に画像にノイズパターンが重畳しにくい構成を提示することのできる表示装置の駆動方法を実現することができるという効果を奏する。
【発明の効果】
【００１８】
本発明の表示装置は、以上のように、
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなる。【００１９】
以上により、画像のスクロール時に画像にノイズパターンが重畳しにくい構成を提示することのできる表示装置を実現することができるという効果を奏する。【００２０】
本発明の表示装置の駆動方法は、以上のように、
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成する。【００２１】
以上により、画像のスクロール時に画像にノイズパターンが重畳しにくい構成を提示することのできる表示装置の駆動方法を実現することができるという効果を奏する。
【図面の簡単な説明】
【００２２】
【図１】本発明の実施形態を示すものであり、配列パターンの構成例を示す図である。
【図２】図１の配列パターンを詳細に示す図である。
【図３】本発明の実施形態を示すものであり、表示装置の構成を示すブロック図である。
【図４】本発明の実施形態を示すものであり、第１のシーケンスに対応するデータ信号電位の例を示す波形図であって、（ａ）〜（ｄ）はそれぞれ異なるシーケンスに対応するデータ信号電位の例を示す。
【図５】図４のシーケンスに従った輝度変化を示す波形図であって、（ａ）〜（ｄ）はそれぞれ異なるシーケンスに従った輝度変化を示し、（ｅ）は（ａ）〜（ｄ）の各シーケンスによる各画素の輝度総和を示す。
【図６】本発明の実施形態を示すものであり、第２のシーケンスに対応するデータ信号電位の例を示す波形図であって、（ａ）〜（ｄ）はそれぞれ異なるシーケンスに対応するデータ信号電位の例を示す波形図である。
【図７】図６のシーケンスに従った輝度変化を示す波形図であって、（ａ）〜（ｄ）はそれぞれ異なるシーケンスに従った輝度変化を示し、（ｅ）は（ａ）〜（ｄ）の各シーケンスによる各画素の輝度総和を示す。
【図８】本発明の実施形態を示すものであり、スクロール画像にノイズパターンが重畳しないことを説明する図である。
【図９】本発明の実施形態を示すものであり、視点の画素をスクロール速度ごとに示す図である。
【図１０】本発明の実施形態を示すものであり、１ｄｏｔ／Ｆのスクロール速度の場合の明暗相殺を説明する図である。
【図１１】本発明の実施形態を示すものであり、２ｄｏｔ／Ｆのスクロール速度の場合の明暗相殺を説明する図である。
【図１２】本発明の実施形態を示すものであり、３ｄｏｔ／Ｆのスクロール速度の場合の明暗相殺を説明する図である。
【図１３】本発明の実施形態を示すものであり、４ｄｏｔ／Ｆのスクロール速度の場合の明暗相殺を説明する図である。
【図１４】本発明の実施形態を示すものであり、５ｄｏｔ／Ｆのスクロール速度の場合の明暗相殺を説明する図である。
【図１５】本発明の実施形態を示すものであり、６ｄｏｔ／Ｆのスクロール速度の場合の明暗相殺を説明する図である。
【図１６】本発明の実施形態を示すものであり、７ｄｏｔ／Ｆのスクロール速度の場合の明暗相殺を説明する図である。
【図１７】本発明の実施形態の比較例を示すものであり、視点の画素をスクロール速度ごとに示す図である。
【図１８】図１７の構成のうち３ｄｏｔ／Ｆのスクロール速度の場合の明暗が相殺されないことを説明する図である。
【図１９】図１７の構成によるスクロール画像にノイズパターンが重畳することを説明する図である。
【図２０】本発明の実施形態を示すものであり、第１の画素の他の配置例を示す図である。
【図２１】図２０の第１の画素に適用する矩形波状の輝度変化パターンに対応するγ曲線を説明するグラフである。
【図２２】図２０の第１の画素に適用する三角波状の輝度変化パターンに対応するγ曲線を説明するグラフである。
【図２３】図２１のγ曲線に対応するルックアップテーブルを示す図である。
【図２４】図２２のγ曲線に対応するルックアップテーブルを示す図である。
【図２５】本発明の実施形態を示すものであり、第１の画素のさらに他の配置例を示す図である。
【図２６】本発明の実施形態を示すものであり、第１の画素のさらに他の配置例を示す図である。
【図２７】本発明の実施形態を示すものであり、第１の画素の配列とシーケンスとの組み合わせの第１の実施例を説明する図である。
【図２８】図２７に適用する輝度変化パターンを説明する図である。
【図２９】本発明の実施形態を示すものであり、第１の画素の配列とシーケンスとの組み合わせの第２の実施例を説明する図である。
【図３０】図２９に適用する輝度変化パターンを説明する図である。
【図３１】本発明の実施形態を示すものであり、第１の画素の配列とシーケンスとの組み合わせの第３の実施例を説明する図である。
【図３２】図３１に適用する輝度変化パターンを説明する図である。
【図３３】本発明の実施形態を示すものであり、第１の画素の配列とシーケンスとの組み合わせの第４の実施例を説明する図である。
【図３４】図３３に適用する輝度変化パターンを説明する図である。
【図３５】本発明の実施形態を示すものであり、第１の画素の配列例を示す図である。
【図３６】本発明の実施形態を示すものであり、第１の画素の極性と接続されるデータ信号線との関係を示す図であって、（ａ）および（ｂ）はそれぞれ異なる接続関係を示す。
【図３７】本発明の実施形態を示すものであり、静止画例を示す図である。
【図３８】本発明の実施形態を示すものであり、図３７の静止画のスクロール時にノイズパターンが重畳しない様子を説明する図である。
【図３９】従来技術を示すものであり、図３７の静止画のスクロール時にノイズパターンが重畳する様子を説明する図である。
【図４０】従来技術を示すものであり、画素の輝度変化パターンと配置方法とを示す図であって、（ａ）および（ｂ）はそれぞれ異なる画素の輝度変化パターンと配置方法とを示す。
【発明を実施するための形態】
【００２３】
本発明の実施形態について、図１〜図３８に基づいて説明すれば、以下のとおりである。
（表示装置の構成について）
図３に、本実施の形態に係る液晶表示装置（表示装置）１１の構成を示す。
【００２４】
液晶表示装置１１は、マトリクス型、ここでは特にアクティブマトリクス型の表示装置であり、ＬＣＤパネル１２、データドライバー１３、および、表示制御回路１４を備えている。また、表示制御回路１４は、γ切り替え回路１４ａおよびメモリ１４ｂを備えている。
【００２５】
本実施形態では、例えば、明→明→暗→暗（シーケンスＳ１とする）、明→暗→暗→明（シーケンスＳ２とする）、暗→暗→明→明（シーケンスＳ３とする）、暗→明→明→暗（シーケンスＳ４とする）の４種類といったように、複数の異なるシーケンスのいずれか１つで輝度変化する画素を、各シーケンスについて設ける。ここで、表示色は、ＲＧＢの各データ色が構成成分となる混色でもよいし、構成成分が１つのデータ色のみである単色（無彩色、Ｒ単色など）でもよい。画素はデータ色ごとに設けられる。以下では、まず４種類のシーケンスを設ける場合の構成を例に取って説明する。データ色としてはＲＧＢの他にＣ（シアン）、Ｍ（マゼンタ）、Ｙ（イエロー）などの他の混色系のものも可能である。これらの各データ色を表す画素を混色表示のために集合させた構成を１つの絵素とする。
【００２６】
表示制御回路１４は、入力信号Ｙｉが入力されると、入力信号ＹｉからデータＹｄ、水平同期成分Ｙｈ、および、垂直同期成分Ｙｖを取り出す。そして、表示制御回路１４によって、データＹｄのそれぞれは４つのルックアップテーブル（ガンマ曲線）Ｔ１〜Ｔ４のいずれか１つによってγ変換される。
【００２７】
ルックアップテーブルＴ１はシーケンスＳ１〜Ｓ４の第１フレームの表示データＤを生成するためのγ変換を行うためのテーブルであり、同様に、ルックアップテーブルＴ２は第２フレームの、ルックアップテーブルＴ３は第３フレームの、ルックアップテーブルＴ４は第４フレームの、表示データＤを生成するためのγ変換を行うためのテーブルである。
【００２８】
ルックアップテーブルＴ１〜Ｔ４はメモリ１４ｂに格納されており、メモリ１４ｂから読み出されることによりγ変換処理に供される。ルックアップテーブルＴ１〜Ｔ４を用いてγ変換されて得られた表示データＤは、水平同期成分Ｙｈおよび垂直同期成分Ｙｖをタイミング信号とするγ切り替え回路１４ａによって、シーケンスＳ１〜Ｓ４の配列位置（例えば図１）および第１フレーム→第２フレーム→第３フレーム→第４フレーム→第１フレーム→…という時系列的なデータ供給順序に合わせて表示データＤの出力元を切り替えてデータドライバー１３に供給される。データドライバー１３は、入力された表示データＤをＤＡ変換などによりアナログ電圧のデータ信号などのＬＣＤパネル１２に適合した形態の表示データとして供給する。
（各画素の明暗変化、シーケンス、および画素配列とについて）
本実施の形態では、後述の図１０〜図１６に示すように、上記シーケンスＳ１〜Ｓ４のような、表示期間を、順に連続する第１のフレーム〜第ＡのフレームのＡ個のフレームからなる周期の繰り返しに分け、Ａ個のフレームで各画素の明暗の変化パターンのシーケンスを複数通り生成する。各シーケンスは、輝度変化パターンが互いに実質的にＡ分の１周期ずつずれた波形を有している。上記のシーケンスＳ１〜Ｓ４ではＡ＝４であり、シーケンスは４通りである。ここでは、まずＡ＝４を例に取って説明を行う。
【００２９】
ここでは、第１のフレームにルックアップテーブルＴ１、第２のフレームにルックアップテーブルＴ２、第３のフレームにルックアップテーブルＴ３、第４のフレームにルックアップテーブルＴ４というように、それぞれが独立したルックアップテーブルを使用してγ変換を行っており、「明」どうしおよび「暗」どうしでも変換後の階調データである表示データＤは互いに独立した設定を行うことができる。
【００３０】
ここで、「明」および「暗」並びにシーケンスの定義および画素の配置について説明する。
【００３１】
図１にＳ１〜Ｓ４のいずれか１つで示した画素を第１の画素とする。第１の画素は、ある階調を表す入力信号Ｙｉを入力して、ある階調を一定期間表示する場合に、４フレームに亘る輝度変化パターンが４フレームの周期で繰り返されるシーケンスＳ１〜Ｓ４のいずれか１つで輝度変化する。また、第１の画素の一定の配列で構成される領域が存在するとする。ここでは、当該領域として、第１の画素が行方向（ロウ方向）に並ぶ配列パターンＵ１の行方向への繰り返しからなる領域と、第１の画素が列方向（コラム方向、信号線方向）に並ぶ配列パターンＵ２の列方向への繰り返しからなる領域との２通りがあると見なせる場合が示されている。配列パターンＵ１・Ｕ２のそれぞれについて、上記シーケンスとして、互いに輝度変化パターンが時間軸方向にずれているとともに配列パターンＵ１・Ｕ２ごとに定められた複数のシーケンスが存在し、配列パターンＵ１・Ｕ２の各第１の画素には上記複数のシーケンスのいずれか１つが割り当てられている。例えば配列パターンＵ１にはシーケンスＳ１・Ｓ３・Ｓ３・Ｓ４・Ｓ４・Ｓ１の第１の画素がこの順で行方向に紙面左側から右側に向って並んでおり、配列パターンＵ２にはシーケンスＳ３・Ｓ１の第１の画素がこの順で列方向に紙面上側から下側に向って並んでいる。
【００３２】
また、このような各第１の画素においては、図１０の各シーケンスに示したように、１周期を構成するフレームＦ１〜Ｆ４・Ｆ５〜Ｆ８・…の各４フレーム単位の第１フレーム〜第４フレームのそれぞれについての輝度の平均値は、当該フレームから２分の１周期後となる２フレーム後の輝度の平均値と異なっている。例えば第１フレームとしてのフレームＦ１の輝度の平均値は輝度レベルＹ１であり、フレームＦ１の２フレーム後となる第３フレームとしてのフレームＦ３の輝度の平均値は輝度レベルＹ２であって、互いに異なっているという規則がある。第４フレームとしてのフレームＦ４の輝度の平均値は輝度レベルＹ２であり、フレームＦ４の２フレーム後となる第２フレームとしてのフレームＦ６の輝度の平均値は輝度レベルＹ１であって、互いに異なっている。
【００３３】
これは、一般化した場合に、ある階調を一定期間表示する場合に、Ａフレームに亘る輝度変化パターンがＡフレームの周期で繰り返される複数のシーケンスのいずれか１つで輝度変化する第１の画素の配列で構成される領域が存在し、各領域においては、各Ａフレームにおける１≦ｊ≦Ａの整数ｊの少なくとも１つに対応する第ｊフレームのそれぞれについて、上記シーケンスでの、各第ｊフレームの輝度の平均値と各第ｊフレームからＡ／２フレーム後のフレームの輝度の平均値とが互いに異なっている、と表現できる。
【００３４】
また、この場合の輝度の平均値は、第ｊフレームとなるフレームごとに観測される輝度の平均値を、観測フレーム数を増加させるにつれて、その平均輝度がある収束値に向うとすれば、当該収束値を指す。特定のｊについての第ｊフレームの平均値は、シーケンス上に現れる特定のｊについてのみの各第ｊフレームを総合した輝度の平均値を指す。
【００３５】
図１０のシーケンスでは各フレーム中で輝度が一定であるため、その平均値は瞬時の輝度に等しいが、図５に示すような１フレーム中で輝度が変化し得るシーケンスにおいては、各フレームの平均輝度が各時点での瞬時の輝度から求められる。例えば図５の（ａ）において、第１フレームとしてのフレームＦ１の平均輝度はＹ１、第２フレームとしてのフレームＦ２の平均輝度はＹ２、第３フレームとしてのフレームＦ３の平均輝度はＹ３、第４フレームとしてのフレームＦ４の平均輝度はＹ４である。そして、各第ｊフレームの輝度の平均値と各第ｊフレームからＡ／２フレーム後のフレームの輝度の平均値とが互いに異なっているということは、Ｙ１とＹ３とが互いに異なっており、Ｙ２とＹ４とが互いに異なっているということに相当する。
【００３６】
また、図５や図１０で示されるように、
各第１の画素においては、シーケンスにおける輝度の平均値は、
各Ａフレームにおける１≦ｊ≦Ａの各整数ｊに対応する第ｊフレームのそれぞれについて、上記シーケンスでの、各第ｊフレームの輝度の平均値と各第ｊフレームからＡ／２フレーム後のフレームの輝度の平均値との間にあるという規則がある。
図５の（ａ）について、シーケンスＳ１における輝度の平均値はＯ１で表されるが、Ｏ１はＹ１とＹ３との間にあり、Ｙ２とＹ４との間にある。
また、図１０について、シーケンスＳ１における輝度の平均値は（Ｙ１＋Ｙ２）／２で表されるが、（Ｙ１＋Ｙ２）／２はＹ１とＹ２との間にある。
【００３７】
また、図示されていないが、各第ｊフレームの輝度の平均値と各第ｊフレームからシーケンスにおけるＡ／２フレーム後のフレームの輝度の平均値とが互いに等しい値である場合には、シーケンスにおける輝度の平均値は、上記互いに等しい値に一致する。
【００３８】
また、上記輝度とデータ信号電位との関係を説明する。
【００３９】
図４の（ａ）〜（ｄ）に、上述の４つのシーケンスＳ１〜Ｓ４のデータ信号電位の一例を示す。データ信号の書き込み周波数は例えば１２０Ｈｚとする。なお、ここでは、説明の簡単化のために引き込み現象を考慮しない場合のデータ信号電位を示し、データ信号の正負の振幅中心がコモン電極電位に等しい場合を示すが、引き込み現象を考慮する場合には、コモン電極電位に引き込み電圧ΔＶｄを加えた電位を振幅中心と見なす。さらには、データ信号電位ごとに引き込み電圧ΔＶｄが異なる場合には、振幅中心は階調ごとに定められたものとして扱えばよい。
【００４０】
シーケンスＳ１で輝度変化を行う画素には、図４の（ａ）に示すように、第１フレームＦ１で２３４階調に対応する正極性の信号電位＋Ｖ（２３４）が供給され、第２フレームＦ２で２３４階調に対応する負極性の信号電位−Ｖ（２３４）が供給され、第３フレームＦ３で０階調に対応する正極性の信号電位＋Ｖ（０）が供給され、第４フレームＦ４で０階調に対応する負極性の信号電位−Ｖ（０）が供給される。
【００４１】
シーケンスＳ２で輝度変化を行う画素には、図４の（ｂ）に示すように、第１フレームＦ１で２３４階調に対応する負極性の信号電位−Ｖ（２３４）が供給され、第２フレームＦ２で０階調に対応する正極性の信号電位＋Ｖ（０）が供給され、第３フレームＦ３で０階調に対応する負極性の信号電位−Ｖ（０）が供給され、第４フレームＦ４で２３４階調に対応する正極性の信号電位＋Ｖ（２３４）が供給される。
【００４２】
シーケンスＳ３で輝度変化を行う画素には、図４の（ｃ）に示すように、第１フレームＦ１で０階調に対応する正極性の信号電位＋Ｖ（０）が供給され、第２フレームＦ２で０階調に対応する負極性の信号電位−Ｖ（０）が供給され、第３フレームＦ３で２３４階調に対応する正極性の信号電位＋Ｖ（２３４）が供給され、第４フレームＦ４で２３４階調に対応する負極性の信号電位−Ｖ（２３４）が供給される。
【００４３】
また、シーケンスＳ４で輝度変化を行う画素には、図４の（ｄ）に示すように、第１フレームＦ１で０階調に対応する負極性の信号電位−Ｖ（０）が供給され、第２フレームＦ２で２３４階調に対応する正極性の信号電位＋Ｖ（２３４）が供給され、第３フレームＦ３で２３４階調に対応する負極性の信号電位−Ｖ（２３４）が供給され、第４フレームＦ４で０階調に対応する正極性の信号電位＋Ｖ（０）が供給される。
【００４４】
図４の（ａ）〜（ｄ）の駆動によって、シーケンスＳ１の画素の第１フレームＦ１〜第４フレームＦ４における輝度変化（透過率変化）パターンは図５の（ａ）のようになり、シーケンスＳ２の画素の第１フレームＦ１〜第４フレームＦ４における輝度変化（透過率変化）パターンは図５の（ｂ）のようになり、シーケンスＳ３の画素の第１フレームＦ１〜第４フレームＦ４における輝度変化（透過率変化）パターンは図５の（ｃ）のようになり、シーケンスＳ４の画素の第１フレームＦ１〜第４フレームＦ４における輝度変化（透過率変化）パターンは図５の（ｄ）のようになる。図５の（ｅ）に、シーケンスＳ１〜Ｓ４の各画素の第１フレームＦ１〜第４フレームＦ４における輝度総和を模式的に示しておく。図５の（ｅ）によって、各画素の平均輝度が視認される場合には、上記の階調設定に対して１５０階調（中間調）に対応する輝度が視認される。なお、シーケンスＳ１〜Ｓ４の各平均輝度は順にＯ１、Ｏ２、Ｏ３、Ｏ４であるが、これらはここでは互いに等しいが、互いに異なっていてもよく、輝度総和をどのような値にするかに応じて独立に定められる。
【００４５】
また、図６の（ａ）〜（ｄ）に、Ａ＝４以外の例として、Ａ＝８となる８フレーム周期を有する４つのシーケンスＳ１１〜Ｓ１４のデータ信号電位の一例を示す。フレーム周波数は例えば２４０Ｈｚとする。振幅中心については図４と同様である。
【００４６】
シーケンスＳ１１で輝度変化を行う画素には、図６の（ａ）に示すように、第１フレームＦ１および第３フレームＦ３で２１３階調に対応する正極性の信号電位＋Ｖ（２１３）が、第２フレームＦ２および第４フレームＦ４で２１３階調に対応する負極性の信号電位−Ｖ（２１３）が、第５フレームＦ５および第７フレームＦ７で０階調に対応する正極性の信号電位＋Ｖ（０）が、第６フレームＦ６および第８フレームＦ８で０階調に対応と負極性の信号電位−Ｖ（０）が、それぞれ供給される。
【００４７】
シーケンスＳ１２で輝度変化を行う画素には、図６の（ｂ）に示すように、第１フレームＦ１および第７フレームＦ７で２１３階調に対応する正極性の信号電位＋Ｖ（２１３）が、第２フレームＦ２および第８フレームＦ８で２１３階調に対応する負極性の信号電位−Ｖ（２１３）が、第３フレームＦ３および第５フレームＦ５で０階調に対応する正極性の信号電位＋Ｖ（０）が、第４フレームＦ４および第６フレームＦ６で０階調に対応と負極性の信号電位−Ｖ（０）が、それぞれ供給される。
【００４８】
シーケンスＳ１３で輝度変化を行う画素には、図６の（ｃ）に示すように、第５フレームＦ５および第７フレームＦ７で２１３階調に対応する正極性の信号電位＋Ｖ（２１３）が、第６フレームＦ６および第８フレームＦ８で２１３階調に対応する負極性の信号電位−Ｖ（２１３）が、第１フレームＦ１および第３フレームＦ３で０階調に対応する正極性の信号電位＋Ｖ（０）が、第２フレームＦ２および第４フレームＦ４で０階調に対応と負極性の信号電位−Ｖ（０）が、それぞれ供給される。
【００４９】
図６の（ａ）〜（ｄ）の駆動によって、シーケンスＳ１１の画素の第１フレームＦ１〜第８フレームＦ８における輝度変化（透過率変化）パターンは図７の（ａ）のようになり、シーケンスＳ１２の画素の第１フレームＦ１〜第８フレームＦ８における輝度変化（透過率変化）パターンは図７の（ｂ）のようになり、シーケンスＳ１３の画素の第１フレームＦ１〜第８フレームＦ８における輝度変化（透過率変化）パターンは図７の（ｃ）のようになり、シーケンスＳ１４の画素の第１フレームＦ１〜第８フレームＦ８における輝度変化（透過率変化）パターンは図７の（ｄ）のようになる。図７の（ｅ）に、シーケンスＳ１１〜Ｓ１４の各画素の第１フレームＦ１〜第８フレームＦ８における輝度総和を模式的に示しておく。図７の（ｅ）によって、各画素の平均輝度が視認される場合には、上記の階調設定に対して１２０階調（中間調）に対応する輝度が視認される。なお、シーケンスＳ１１〜Ｓ１４の各平均輝度は順にＯ１、Ｏ２、Ｏ３、Ｏ４であるが、これらはここでは互いに等しいが、互いに異なっていてもよく、輝度総和をどのような値にするかに応じて独立に定められる。図７では、第１フレームＦ１、第２フレームＦ２、第３フレームＦ３、第４フレームＦ４、第５フレームＦ５、第６フレームＦ６、第７フレームＦ７、第８フレームＦ８の各輝度平均は、順にＹ１、Ｙ２、Ｙ３、Ｙ４、Ｙ５、Ｙ６、Ｙ７、Ｙ８、Ｏ１＝Ｏ２＝Ｏ３＝Ｏ４であり、Ｙ１＜Ｏ１＜Ｙ５、Ｙ２＞Ｏ１＞Ｙ６、Ｙ３＞Ｏ１＞Ｙ７、Ｙ４＞Ｏ１＞Ｙ８である。
【００５０】
次に、前記配列パターンＵ１・Ｕ２の繰り返し規則について説明する。
【００５１】
行方向と列方向とをそれぞれ１つのアレイ方向としたとき、Ｒ、Ｇ、Ｂなどのデータ色ごとに見て行方向および列方向の各アレイ方向について、各配列パターンは、
Ｘ＝Ａ／２＋Ａ・Ｑ（Ｑは０以上の整数）          ・・・・・（１）
で表される、アレイ方向に連続するＸ個の第１の画素からなる。そして、この配列パターンが当該アレイ方向に繰り返される。ここで、Ｑは、行方向と列方向とに独立に定められるとともに、同じアレイ方向でも領域ごとに独立に定められる。すなわち、図１では行方向にはＸ＝Ｎ（＝６）であり、列方向にはＸ＝Ｍ（＝２）である。Ｎ＝６に対応する、行方向のＱ＝Ｑ１＝１であり、Ｍ＝２に対応する、列方向のＱ＝Ｑ２＝０である。また、図１では同じ行方向どうしではＮ＝６で一定であるが、行ごとに、すなわち行方向の領域ごとにＮが独立に定められてよい。同じく、図１では同じ列方向どうしではＭ＝２で一定であるが、列ごとに、すなわち列方向の領域ごとにＭが独立に定められてよい。従って、図１から行方向の１つの領域を取り出すと、図２に示すように、シーケンスＳ１・Ｓ３・Ｓ３・Ｓ４・Ｓ４・Ｓ１に順に対応する第１の画素Ｐ１・Ｐ２・Ｐ３・Ｐ４・Ｐ５・Ｐ６のＮｄｏｔの並びからなる配列パターンＵ１が行方向に繰り返されて形成されている。ここでは、１つの絵素を構成するＲ、Ｇ、Ｂの各第１の画素が同じシーケンスとなっているが、これに限ることはなく、ＲＧＢのそれぞれが互いに異なるシーケンスからなっていてもよい。各領域はデータ色ごとに定められる。
【００５２】
また、図１では行方向と列方向との両アレイ方向に配列パターンが存在するが、これに限らず、行方向と列方向とのいずれか一方にのみ配列パターンが存在してもよく、従って、少なくとも一方のアレイ方向に配列パターンが存在すればよい。
【００５３】
式（１）から分かるように、Ｘは、Ａ個のフレームという周期の２分の１の奇数倍で表される。このことが、スクロール画像が１フレームあたり何ｄｏｔ移動するかに応じて視認者の観測画像にどのように寄与するかを明確にするため、図９に示すように、１フレームあたりの移動ｄｏｔ数について場合分けを行う。
【００５４】
図９では、横スクロールにおいて、スクロール速度を表す１フレームあたりの移動ｄｏｔ数を１ｄｏｔ／Ｆから８ｄｏｔ／Ｆまで１ｄｏｔずつ異ならせた場合の、移動先の画像が表示される第１の画素を示す。縦スクロールについても同様の説明となるので横スクロールのみを例に取って説明する。
【００５５】
配列パターンＵ１の第１の画素Ｐ１が最初に注目された視点の画素であるとすると、第１の画素Ｐ１での表示が、スクロールされることによって移動する先の第１の画素をグレーに塗って示す。
【００５６】
１ｄｏｔ／Ｆの場合には、配列パターンＵ１の各第１の画素に順次移動していき、図１０に示す視点の画素Ｐ１における各シーケンスの破線で囲むフレームの輝度が順次観測される。連続するＮフレーム（配列パターンＵ１ではＮ＝６）の単位を考え、隣接するＮフレームの２つの単位の前半を期間α、後半を期間βとすると、期間αと期間βとで輝度レベルがＹ１とＹ２とのそれぞれとなるフレーム数は右表のようになる。α＋βの期間では輝度レベルＹ１となるフレーム数と輝度レベルＹ２となるフレーム数とは互いに等しく、Ｎ（＝６）である。Ｙ１＞Ｙ２であり、スクロールされる間に、期間α＋βを通して、視認者の目に残像として映る明暗は互いに相殺される。
【００５７】
視点の画素Ｐ２〜Ｐ６についても、同様にして、明暗が相殺される。
【００５８】
２ｄｏｔ／Ｆ〜７ｄｏｔ／Ｆの各スクロール速度についても、視点の画素における輝度を分析していくと、図１１〜図１６のように、図１０と同様の明暗相殺が行われる。なお、７ｄｏｔ／Ｆは１ｄｏｔ／Ｆの場合と同じであり、８ｄｏｔ／Ｆは２ｄｏｔ／Ｆの場合と同じである。すなわち、Ｎ（ｍｏｄ６）で場合分けが可能であるが、いずれの場合も明暗が相殺される。
【００５９】
これにより、図８に示すように、例えば３ｄｏｔ／Ｆのスクロール画像について、視点の画素Ｐ１〜Ｐ６で表示される画像をｎフレーム〜ｎ＋１１フレームの間に合成すると、均一な輝度の画像が得られる。これは、図３の入力信号Ｙｉに一定の階調データを入力し続けた場合に、スクロールによってもやはり均一な階調の画像が観測されることを意味しており、スクロールにより特定のノイズパターンによるざらつきが発生しないことが分かる。これにより、図３７の静止画は、スクロールした場合に図３８に示すように表示品位の低下を伴うことなく視認される。
【００６０】
これと従来の場合とを対比すると、図１７および図１８に示すように第１の画素Ｐ１〜Ｐ４が配列され、明（Ｙ１）→暗（Ｙ２）→明（Ｙ１）→暗（Ｙ２）のシーケンスＳ１が第１の画素Ｐ１・Ｐ２に、暗（Ｙ２）→明（Ｙ１）→暗（Ｙ２）→明（Ｙ１）のシーケンスＳ２が第１の画素Ｐ３・Ｐ４に割り当てられているとした場合に、図１８に示すように、第１の画素Ｐ２・Ｐ４では期間α＋βにおいて明暗が相殺されない。従って、例えば図１９に示すように３ｄｏｔ／Ｆのスクロール画像について、視点の画素Ｐ１〜Ｐ４で表示される画像をｎフレーム〜ｎ＋７フレームの間に合成すると、一定のノイズパターンによるざらつきが観測される。これにより、図３７の静止画は、スクロールした場合に図３９に示すように表示品位の低下を伴って視認される。
【００６１】
図２０に、Ａ（１周期のフレーム数）＝４、Ｎ＝２、Ｍ＝２、１２０Ｈｚ駆動であって、明→暗→明→暗のシーケンスに順にγＣ→γＡ→γＤ→γＢのγ曲線を用いる第１の画素と、暗→明→暗→明のシーケンスに順にγＤ→γＢ→γＣ→γＡのγ曲線を用いる第１の画素とが、データ色ごとに行方向および列方向に交互に配置された状態を示す。階調データの極性についてはドット反転を行っている。輝度の平均化が３０Ｈｚで完結するため、パターンの重畳をより効果的に防ぐことができる。輝度の平均化に必要なフレーム数は小さいほど効果的である。
【００６２】
各γ曲線として、輝度変化パターンを矩形波とするものを図２１に、三角波とするものを図２２にそれぞれ示す。また、上記矩形波の輝度変化パターンのγ曲線に対応するルックアップテーブルを図２３に、上記三角波の輝度変化パターンのγ曲線に対応するルックアップテーブルを図２４に、それぞれ示す。
【００６３】
図２５に、Ａ（１周期のフレーム数）＝８、Ｎ＝４、Ｍ＝４、２４０Ｈｚ駆動であって、明→明→明→明→暗→暗→暗→暗のシーケンスに順にγＧ→γＥ→γＣ→γＡ→γＨ→γＦ→γＤ→γＢのγ曲線を用いる第１の画素と、暗→暗→暗→暗→明→明→明→明のシーケンスに順にγＨ→γＦ→γＤ→γＢ→γＧ→γＥ→γＣ→γＡのγ曲線を用いる第１の画素とが、データ色ごとに、同じフレームで明どうしおよび暗どうしがそれぞれ２つずつ行方向に隣接するように、交互に配置された状態を示す。階調データの極性についてはドット反転を行っている。輝度の平均化が３０Ｈｚで完結するため、パターンの重畳をより効果的に防ぐことができる。輝度の平均化に必要なフレーム数は小さいほど効果的である。この場合には、各フレーム内に同一色の画素に、シーケンスの正極性と負極性との両方を同一数含むため、単色表示での各シーケンスの極性偏りを無くし、フリッカを軽減することができる。
【００６４】
図２６に、Ａ（１周期のフレーム数）＝８、Ｎ＝４、Ｍ＝４、２４０Ｈｚ駆動であって、明→明→明→明→暗→暗→暗→暗のシーケンスに順にγＧ→γＥ→γＣ→γＡ→γＨ→γＦ→γＤ→γＢのγ曲線を用いる第１の画素と、明→明→暗→暗→暗→暗→明→明のシーケンスに順にγＣ→γＡ→γＨ→γＦ→γＤ→γＢ→γＧ→γＥのγ曲線を用いる第１の画素と、暗→暗→暗→暗→明→明→明→明のシーケンスに順にγＨ→γＦ→γＤ→γＢ→γＧ→γＥ→γＣ→γＡのγ曲線を用いる第１の画素と、暗→暗→明→明→明→明→暗→暗のシーケンスに順にγＤ→γＢ→γＧ→γＥ→γＣ→γＡ→γＨ→γＦのγ曲線を用いる第１の画素とが、データ色ごとに、同じフレームで明どうしおよび暗どうしがそれぞれ２つずつ行方向に隣接するように行方向および列方向に交互に配置された状態を示す。階調データの極性についてはドット反転を行っている。輝度の平均化が３０Ｈｚで完結するため、パターンの重畳をより効果的に防ぐことができる。輝度の平均化に必要なフレーム数は小さいほど効果的である。この場合には、各フレーム内に同一色の画素に、シーケンスの正極性と負極性との両方を同一数含むため、単色表示での各シーケンスの極性偏りを無くし、フリッカを軽減することができる。この場合にも、各フレーム内に同一色の画素に、シーケンスの正極性と負極性との両方を同一数含むため、単色表示での各シーケンスの極性偏りを無くし、フリッカを軽減することができる。
【００６５】
図２５および図２６では、配列パターンが、各フレームで同じデータ色の互いに異なる書き込み極性の第１の画素を同数ずつ含んでいる。この構成によれば、同じ配列パターン内においてデータ色ごとに正極性の第１の画素数と負極性の第１の画素数とを互いに等しくするので、極性の偏りによるフリッカを低減できるという効果を奏する。
【００６６】
次に、第１の画素の配列とシーケンスとの組み合わせの各実施例について、図２７〜図３４に示す。
【００６７】
図２７および図２８は、Ａ＝４、Ｑ１＝１、Ｑ２＝０、Ｎ＝６，２、Ｍ＝２、駆動周波数１２０Ｈｚ、明暗切替周期３０Ｈｚの場合を示す。各絵素においてＲＧＢが共通のシーケンスを有する場合（Ｎ＝６）と、ＲＧＢごとに独立したシーケンスを取る場合（Ｎ＝２）との２通りを示す。輝度変化パターンとしては、矩形波状、三角波状、正弦波状、台形波状などが挙げられる。各フレームに独立したγ曲線が用いられる。
【００６８】
図２９および図３０は、Ａ＝４、Ｑ１＝０、Ｑ２＝０、Ｎ＝２、Ｍ＝２、駆動周波数１２０Ｈｚ、明暗切替周期３０Ｈｚの場合を示す。各絵素においてＲＧＢが共通のシーケンスを有する場合と、ＲＧＢごとに独立したシーケンスを取る場合との２通りを示す。輝度変化パターンとしては、矩形波状、三角波状、正弦波状、台形波状などが挙げられる。各フレームに独立したγ曲線が用いられる。
【００６９】
図３１および図３２は、Ａ＝８、Ｑ１＝０、Ｑ２＝０、Ｎ＝４、Ｍ＝４、駆動周波数２４０Ｈｚ、明暗切替周期３０Ｈｚの場合を示す。各絵素においてＲＧＢが共通のシーケンスを有する場合と、ＲＧＢごとに独立したシーケンスを取る場合との２通りを示す。輝度変化パターンとしては、矩形波状、三角波状、正弦波状、台形波状などが挙げられる。各フレームに独立したγ曲線が用いられる。
【００７０】
図３３および図３４は、Ａ＝８、Ｑ１＝０、Ｑ２＝０、Ｎ＝４、Ｍ＝４、駆動周波数２４０Ｈｚ、明暗切替周期３０Ｈｚの場合を示す。各絵素においてＲＧＢが共通のシーケンスを有する場合と、ＲＧＢごとに独立したシーケンスを取る場合との２通りを示す。輝度変化パターンとしては、矩形波状、三角波状、正弦波状、台形波状などが挙げられる。各フレームに独立したγ曲線が用いられる。
【００７１】
なお、本実施形態において、Ｎ、Ｍ（すなわちＸ）は偶数であることが好ましい。図３５に示すように、配列パターンにおいて配列周期が奇数（Ｎ＝３、Ｍ＝３）であると、各アレイ方向および第１の画素の全領域においてシーケンスＳ１とシーケンスＳ２とを同数に設定することができないため、明と暗がフレーム間で数が合わずフリッカになる虞がある。Ｎ、Ｍ（すなわちＸ）が偶数であると、明暗の数が同じになるためフリッカを良好に抑制することができる。
【００７２】
また、図１の配列パターンＵ２に示すように、列方向（信号線方向）のシーケンスが２種類である場合に、各フレームにおいて正極性の第１の画素と負極性の第１の画素とを交互に配置するときには、互いに同極性となる第１の画素を、同じデータ信号線に接続するとよい。例えば図３６の（ａ）に示すように、奇数ラインのデータ信号（Ｓｏ）はあるフレームで正極性のみとなり、次フレームで負極性のみとなる。また、偶数ラインのデータ信号（Ｓｅ）はあるフレームで負極性のみとなり、次フレームで正極性のみとなる。このとき、１フレーム期間では一方の極性のデータ信号のみを供給すればよいため、データ信号の振幅は平坦な正負のソース波形に示すように小さくて済む。また、ソース波形の周波数を低く抑えることができる。一方、図３６の（ｂ）に示すように、奇数ラインのデータ信号（Ｓｏ）も偶数ラインのデータ信号（Ｓｅ）も１フレーム期間において両極性を含む場合には、ソース波形に示すようにデータ信号の振幅は正負とも大きくなる。図示の４ドット周期の配列は１Ｈの時間単位での振幅となり、駆動としてキラーな状態になる。
【００７３】
高速駆動（１２０Ｈｚ駆動や２４０Ｈｚ駆動）や高精細パネル（ＦＨＤや２ｋ４ｋ）では、ソース（データ）信号の周波数が高くなり、パネル負荷による波形鈍りの影響やソースドライバの発熱が問題となる。ソースの振幅周期を小さくすることによって、上記の駆動を達成している。一般的には、ソースの極性反転周期を数Ｈ以上〜１フレームに設定している。ただし、画素の極性配列は表示品位上、ドット市松状に極性を反転した配置にすることが好ましいため、例えば、図３６の（ａ）のようにデータ信号線を走査線の奇偶それぞれに配置してデータ信号の振幅周期の低減と画素極性のドット市松配置とを両立させる。
【００７４】
また、ＮとＭとは、２×Ｎフレームと２×Ｍフレームの周期が２４Ｈｚ以上となるように設定するのが好ましい。パターンの輝度を平均化するために必要なフレーム数は２×Ｎまたは２×Ｍであり、ＮとＭとが大きいと平均化に時間がかかるため、チラツキ等が視認される場合が考えられる。輝度の平均化に必要なフレーム数は小さいほど良く、２×Ｎフレーム周期と２×Ｍフレーム周期の周波数は大きい方がよい。実際の試作検討から、２×Ｎフレーム周期と２×Ｍフレーム周期との周波数は２４Ｈｚ以上がよい。
【００７５】
また、Ａは４フレーム以上の偶数であることが好ましい。Ａ＝１〜３は下記の理由で好ましくない。Ａ＝１については、フレーム周期が１Ｆでは輝度変化できないためである。Ａ＝２については、シーケンスの数Ｂが、最大２種類（Ｓ１：明→暗・Ｓ２：暗→明）しかないからである。Ｂ＝１の場合、画面全面で輝度が切り替わるため、フリッカとなる。Ｂ＝２の場合、条件を満たす配列周期Ｎ，Ｍ＝１、３、５、…のため、２種類のシーケンスを同一数となるように配列できない。Ｂ＝２の場合にフリッカが生じる例としては、前述の図３５の配列パターンがある。また、Ａ＝３については配列周期Ｍ、Ｎが整数でないからである。
【００７６】
また、第１の画素の領域において、Ａに１フレーム期間を乗じた長さは１／７０秒よりも長く、１／３０秒に上記配列パターンに含まれる上記複数のシーケンスの数を乗じた値よりも短くてもよい。これによれば、スクロール画像を滑らかに表示することができるとともに、明暗変化のフリッカを感じないようにすることができる。
【００７７】
また、第１の画素の領域において、取りえるシーケンスの数はＡ／２のＲ乗（Ｒは正の整数）であってもよい。これによれば、スクロール画像のノイズの重畳をより良好に抑制することができる。
【００７８】
なお、本発明の表示装置としてＥＬ表示装置などの他の装置も可能である。
【００７９】
以上に述べてきたように、
本発明の表示装置は、前記課題を解決するために、
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなることを特徴としている。
【００８０】
上記の発明によれば、ＸはＡ／２の奇数倍で表される。スクロール画像が１フレームあたりに一定のｄｏｔ数で移動する場合に、連続するＮフレームの単位を考え、隣接するＮフレームの２つの単位の前半を期間α、後半を期間βとすると、Ｘのうちの各視点の画素に対して、α＋βの期間では明の輝度レベルとなるフレーム数と暗の輝度レベルとなるフレーム数とは互いに等しく、Ｎである。これにより、画像がスクロールされる間に、期間α＋βを通して、視認者の目に残像として映る明暗は互いに相殺される。
【００８１】
従って、視点の画素で表示される画像をスクロール時間に亘って合成すると、均一な輝度の画像が得られる。これは、一定の階調データを入力し続けた場合に、スクロールによってもやはり均一な階調の画像が観測されることを意味しており、スクロールにより特定のノイズパターンが発生しないことを意味する。
【００８２】
以上により、画像のスクロール時に画像にノイズパターンが重畳しにくい構成を提示することのできる表示装置を実現することができるという効果を奏する。
【００８３】
本発明の表示装置は、前記課題を解決するために、
各上記第１の画素において、上記シーケンスにおける輝度の平均値は、各上記Ａフレームにおける１≦ｊ≦Ａの各整数ｊに対応する第ｊフレームのそれぞれについて、各上記第ｊフレームの輝度の平均値と各上記第ｊフレームから上記シーケンスにおけるＡ／２フレーム後のフレームの輝度の平均値とが互いに等しい値である場合に上記互いに等しい値に一致することを除いては、上記シーケンスでの、各上記第ｊフレームの輝度の平均値と各上記第ｊフレームからＡ／２フレーム後のフレームの輝度の平均値との間にあることを特徴としている。
【００８４】
上記の発明によれば、シーケンスにおける輝度の平均値より輝度の高いフレームと、シーケンスにおける輝度の平均値より輝度の低いフレームとの存在により、スクロール画像の明暗を適切に相殺することができるという効果を奏する。
【００８５】
本発明の表示装置は、前記課題を解決するために、
少なくとも１つの上記領域において、
Ｑ＝０である上記配列パターンが設けられていることを特徴としている。
【００８６】
上記の発明によれば、Ｘ＝Ａ／２となって配列パターンを構成する第１の画素数が小さくなるため、スクロール画像のノイズの重畳をより良好に抑制することができるという効果を奏する。
【００８７】
本発明の表示装置は、前記課題を解決するために、
少なくとも１つの上記領域において、
Ａ／２は偶数でありＡ／２は２以上であることを特徴としている。
【００８８】
上記の発明によれば、所望の輝度変化パターンをフリッカを生じることなく生成することができるという効果を奏する。
【００８９】
本発明の表示装置は、前記課題を解決するために、
少なくとも１つの上記領域において、
上記輝度変化パターンが時間軸方向に互いにＡ／２フレームだけずれた異なる上記シーケンスで輝度変化する上記第１の画素を含む上記配列パターンが設けられていることを特徴としている。
【００９０】
上記の発明によれば、スクロール画像のノイズの重畳をより良好に抑制することができるという効果を奏する。
【００９１】
本発明の表示装置は、前記課題を解決するために、
少なくとも１つの上記領域において、
上記複数のシーケンスは２つのシーケンスであり、各フレームにおいて、正極性のデータ信号が上記２つのシーケンスの一方で輝度変化する上記第１の画素に書き込まれるとともに、負極性のデータ信号が上記２つのシーケンスの他方で輝度変化する上記第１の画素に書き込まれることを特徴としている。
【００９２】
上記の発明によれば、列方向の配列パターンの第１の画素に、振幅および周波数の小さなデータ信号を供給することができるという効果を奏する。
【００９３】
本発明の表示装置は、前記課題を解決するために、
少なくとも１つの上記領域において、
上記アレイ方向が列方向であって、
上記複数のシーケンスはＸ＝２となる２つのシーケンスであり、各フレームにおいて、正極性の書き込み極性となる上記第１の画素と負極性の書き込み極性となる上記第１の画素とが交互に配置され、互いに同極性の書き込み極性となる上記第１の画素が、同じデータ信号線に接続されていることを特徴としている。
【００９４】
上記の発明によれば、列方向の配列パターンの第１の画素に、振幅および周波数の小さなデータ信号を供給することができるという効果を奏する。
【００９５】
本発明の表示装置は、前記課題を解決するために、
少なくとも１つの上記領域において、
Ａに１フレーム期間を乗じた長さが１／７０秒よりも長く、１／３０秒に上記配列パターンに含まれる上記複数のシーケンスの数を乗じた値よりも短いことを特徴としている。
【００９６】
上記の発明によれば、スクロール画像を滑らかに表示することができるとともに、明暗変化のフリッカを感じないようにすることができるという効果を奏する。
【００９７】
本発明の表示装置は、前記課題を解決するために、
少なくとも１つの上記領域において、
上記複数のシーケンスの数はＡ／２のＲ乗（Ｒは正の整数）であることを特徴としている。
【００９８】
上記の発明によれば、スクロール画像のノイズの重畳をより良好に抑制することができるという効果を奏する。
【００９９】
本発明の表示装置は、前記課題を解決するために、
Ｘは偶数であることを特徴としている。
【０１００】
上記の発明によれば、スクロール画像にフリッカを発生させないようにすることができるという効果を奏する。
【０１０１】
本発明の表示装置は、前記課題を解決するために、
２Ｘフレームの期間が２４Ｈｚ以上で繰り返されることを特徴としている。
【０１０２】
上記の発明によれば、スクロール画像の輝度を良好に平均化してチラツキを抑制することができるという効果を奏する。
【０１０３】
本発明の表示装置は、前記課題を解決するために、
少なくとも１つの上記領域において、
上記配列パターンは、各フレームで書き込み極性が互いに異なる、同じシーケンスで輝度変化する上記第１の画素を同数ずつ含むことを特徴としている。
【０１０４】
上記の発明によれば、同じ配列パターン内において同じシーケンスで輝度変化する正極性の第１の画素数と負極性の第１の画素数とを互いに等しくするので、極性の偏りによるフリッカを低減できるという効果を奏する。
【０１０５】
本発明の表示装置は、前記課題を解決するために、
少なくとも１つの上記領域において、
上記配列パターンは、各フレームで同じ上記データ色の互いに異なる書き込み極性の上記第１の画素を同数ずつ含むことを特徴としている。
【０１０６】
上記の発明によれば、同じ配列パターン内においてデータ色ごとに正極性の第１の画素数と負極性の第１の画素数とを互いに等しくするので、極性の偏りによるフリッカを低減できるという効果を奏する。
【０１０７】
本発明の表示装置は、前記課題を解決するために、
上記輝度変化パターンは矩形波状であることを特徴としている。
【０１０８】
上記の発明によれば、第１の画素の平均輝度を、明暗の輝度変化パターンで容易に生成することができるという効果を奏する。
【０１０９】
本発明の表示装置は、前記課題を解決するために、
上記輝度変化パターンは三角波状であることを特徴としている。
【０１１０】
上記の発明によれば、第１の画素の平均輝度を、表示素子の応答速度などを利用した波形で生成することができるという効果を奏する。
【０１１１】
本発明の表示装置は、前記課題を解決するために、
上記輝度変化パターンは正弦波状であることを特徴としている。
【０１１２】
上記の発明によれば、第１の画素の平均輝度を、表示素子の応答速度などを利用した波形で生成することができるという効果を奏する。
【０１１３】
本発明の表示装置は、前記課題を解決するために、
上記輝度変化パターンは台形波状であることを特徴としている。
【０１１４】
上記の発明によれば、第１の画素の平均輝度を、表示素子の応答速度などを利用した波形で生成することができるという効果を奏する。
【０１１５】
本発明の表示装置の駆動方法は、前記課題を解決するために、
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成することを特徴としている。
【０１１６】
上記の発明によれば、ＸはＡ／２の奇数倍で表される。スクロール画像が１フレームあたりに一定のｄｏｔ数で移動する場合に、連続するＮフレームの単位を考え、隣接するＮフレームの２つの単位の前半を期間α、後半を期間βとすると、Ｘのうちの各視点の画素に対して、α＋βの期間では明の輝度レベルとなるフレーム数と暗の輝度レベルとなるフレーム数とは互いに等しく、Ｎである。これにより、画像がスクロールされる間に、期間α＋βを通して、視認者の目に残像として映る明暗は互いに相殺される。
【０１１７】
従って、視点の画素で表示される画像をスクロール時間に亘って合成すると、均一な輝度の画像が得られる。これは、一定の階調データを入力し続けた場合に、スクロールによってもやはり均一な階調の画像が観測されることを意味しており、スクロールにより特定のノイズパターンが発生しないことを意味する。
【０１１８】
以上により、画像のスクロール時に画像にノイズパターンが重畳しにくい構成を提示することのできる表示装置の駆動方法を実現することができるという効果を奏する。
【０１１９】
本発明の表示装置の駆動方法は、前記課題を解決するために、
各上記第１の画素において、上記シーケンスにおける輝度の平均値を、各上記Ａフレームにおける１≦ｊ≦Ａの各整数ｊに対応する第ｊフレームのそれぞれについて、各上記第ｊフレームの輝度の平均値と各上記第ｊフレームから上記シーケンスにおけるＡ／２フレーム後のフレームの輝度の平均値とが互いに等しい値である場合に上記互いに等しい値に一致させることを除いては、上記シーケンスでの、各上記第ｊフレームの輝度の平均値と各上記第ｊフレームからＡ／２フレーム後のフレームの輝度の平均値との間とすることを特徴としている。
【０１２０】
上記の発明によれば、シーケンスにおける輝度の平均値より輝度の高いフレームと、シーケンスにおける輝度の平均値より輝度の低いフレームとの存在により、スクロール画像の明暗を適切に相殺することができるという効果を奏する。
【０１２１】
本発明の表示装置の駆動方法は、前記課題を解決するために、
少なくとも１つの上記領域において、
Ｑ＝０である上記配列パターンを設けることを特徴としている。
【０１２２】
上記の発明によれば、Ｘ＝Ａ／２となって配列パターンを構成する第１の画素数が小さくなるため、スクロール画像のノイズの重畳をより良好に抑制することができるという効果を奏する。
【０１２３】
本発明の表示装置の駆動方法は、前記課題を解決するために、
少なくとも１つの上記領域において、
Ａ／２は偶数でありＡ／２は２以上であることを特徴としている。
【０１２４】
上記の発明によれば、所望の輝度変化パターンをフリッカを生じることなく生成することができるという効果を奏する。
【０１２５】
本発明の表示装置の駆動方法は、前記課題を解決するために、
少なくとも１つの上記領域において、
上記輝度変化パターンが時間軸方向に互いにＡ／２フレームだけずれた異なる上記シーケンスで輝度変化する上記第１の画素を含む上記配列パターンを設けることを特徴としている。
【０１２６】
上記の発明によれば、スクロール画像のノイズの重畳をより良好に抑制することができるという効果を奏する。
【０１２７】
本発明の表示装置の駆動方法は、前記課題を解決するために、
少なくとも１つの上記領域において、
上記複数のシーケンスの数は２つのシーケンスであり、各フレームにおいて、正極性のデータ信号を上記２つのシーケンスの一方で輝度変化する上記第１の画素に書き込むとともに、負極性のデータ信号を上記２つのシーケンスの他方で輝度変化する上記第１の画素に書き込むことを特徴としている。
【０１２８】
上記の発明によれば、列方向の配列パターンの第１の画素に、振幅および周波数の小さなデータ信号を供給することができるという効果を奏する。
【０１２９】
本発明の表示装置の駆動方法は、前記課題を解決するために、
少なくとも１つの上記領域において、
上記アレイ方向が列方向であって、
上記複数のシーケンスはＸ＝２となる２つのシーケンスであり、各フレームにおいて、正極性の書き込み極性となる上記第１の画素と負極性の書き込み極性となる上記第１の画素とが交互に配置され、互いに同極性の書き込み極性となる上記第１の画素が、同じデータ信号線に接続されていることを特徴としている。
【０１３０】
上記の発明によれば、列方向の配列パターンの第１の画素に、振幅および周波数の小さなデータ信号を供給することができるという効果を奏する。
【０１３１】
本発明の表示装置の駆動方法は、前記課題を解決するために、
少なくとも１つの上記領域において、
Ａに１フレーム期間を乗じた長さは１／７０秒よりも長く、１／３０秒に上記配列パターンに含まれる上記複数のシーケンスの数を乗じた値よりも短いことを特徴としている。
【０１３２】
上記の発明によれば、スクロール画像を滑らかに表示することができるとともに、明暗変化のフリッカを感じないようにすることができるという効果を奏する。
【０１３３】
本発明の表示装置の駆動方法は、前記課題を解決するために、
少なくとも１つの上記領域において、
上記複数のシーケンスの数はＡ／２のＲ乗（Ｒは正の整数）であることを特徴としている。
【０１３４】
上記の発明によれば、スクロール画像のノイズの重畳をより良好に抑制することができるという効果を奏する。
【０１３５】
本発明の表示装置の駆動方法は、前記課題を解決するために、
Ｘは偶数であることを特徴としている。
【０１３６】
上記の発明によれば、スクロール画像にフリッカを発生させないようにすることができるという効果を奏する。
【０１３７】
本発明の表示装置の駆動方法は、前記課題を解決するために、
２Ｘフレームの期間を２４Ｈｚ以上で繰り返すことを特徴としている。
【０１３８】
上記の発明によれば、スクロール画像の輝度を良好に平均化してチラツキを抑制することができるという効果を奏する。
【０１３９】
本発明の表示装置の駆動方法は、前記課題を解決するために、
少なくとも１つの上記領域において、
上記配列パターンは、各フレームで書き込み極性が互いに異なる、同じシーケンスで輝度変化する上記第１の画素を同数ずつ含むことを特徴としている。
【０１４０】
上記の発明によれば、同じ配列パターン内において同じシーケンスで輝度変化する正極性の第１の画素数と負極性の第１の画素数とを互いに等しくするので、極性の偏りによるフリッカを低減できるという効果を奏する。
【０１４１】
本発明の表示装置の駆動方法は、前記課題を解決するために、
少なくとも１つの上記領域において、
上記配列パターンは、各フレームで同じ上記データ色の互いに異なる書き込み極性の上記第１の画素を同数ずつ含むことを特徴としている。
【０１４２】
上記の発明によれば、同じ配列パターン内においてデータ色ごとに正極性の第１の画素数と負極性の第１の画素数とを互いに等しくするので、極性の偏りによるフリッカを低減できるという効果を奏する。
【０１４３】
本発明の表示装置の駆動方法は、前記課題を解決するために、
上記輝度変化パターンは矩形波状であることを特徴としている。
【０１４４】
上記の発明によれば、第１の画素の平均輝度を、明暗の輝度変化パターンで容易に生成することができるという効果を奏する。
【０１４５】
本発明の表示装置の駆動方法は、前記課題を解決するために、
上記輝度変化パターンは三角波状であることを特徴としている。
【０１４６】
上記の発明によれば、第１の画素の平均輝度を、表示素子の応答速度などを利用した波形で生成することができるという効果を奏する。
【０１４７】
本発明の表示装置の駆動方法は、前記課題を解決するために、
上記輝度変化パターンは正弦波状であることを特徴としている。
【０１４８】
上記の発明によれば、第１の画素の平均輝度を、表示素子の応答速度などを利用した波形で生成することができるという効果を奏する。
【０１４９】
本発明の表示装置の駆動方法は、前記課題を解決するために、
上記輝度変化パターンは台形波状であることを特徴としている。
【０１５０】
上記の発明によれば、第１の画素の平均輝度を、表示素子の応答速度などを利用した波形で生成することができるという効果を奏する。
【０１５１】
本発明は上記の実施の形態に限定されるものではなく、上記実施の形態を技術常識に基づいて適宜変更したものやそれらを組み合わせて得られるものも本発明の実施の形態に含まれる。
【産業上の利用可能性】
【０１５２】
本発明は、特に液晶表示装置に好適に使用することができる。
【符号の説明】
【０１５３】
１１                液晶表示装置（表示装置）
Ｕ１、Ｕ２          配列パターン
Ｙ１〜Ｙ８          平均値
Ｏ１〜Ｏ４          平均値
【図１】
2011065064.tif 000003
【図２】
2011065064.tif 000004
【図３】
2011065064.tif 000005
【図４】
2011065064.tif 000006
【図５】
2011065064.tif 000007
【図６】
2011065064.tif 000008
【図７】
2011065064.tif 000009
【図１０】
2011065064.tif 000010
【図１１】
2011065064.tif 000011
【図１２】
2011065064.tif 000012
【図１３】
2011065064.tif 000013
【図１４】
2011065064.tif 000014
【図１５】
2011065064.tif 000015
【図１６】
2011065064.tif 000016
【図１７】
2011065064.tif 000017
【図１８】
2011065064.tif 000018
【図２３】
2011065064.tif 000019
【図２４】
2011065064.tif 000020
【図２７】
2011065064.tif 000021
【図２８】
2011065064.tif 000022
【図２９】
2011065064.tif 000023
【図３０】
2011065064.tif 000024
【図３１】
2011065064.tif 000025
【図３２】
2011065064.tif 000026
【図３３】
2011065064.tif 000027
【図３４】
2011065064.tif 000028
【図４０】
2011065064.tif 000029
【図８】
2011065064.tif 000030
【図９】
2011065064.tif 000031
【図１９】
2011065064.tif 000032
【図２０】
2011065064.tif 000033
【図２１】
2011065064.tif 000034
【図２２】
2011065064.tif 000035
【図２５】
2011065064.tif 000036
【図２６】
2011065064.tif 000037
【図３５】
2011065064.tif 000038
【図３６】
2011065064.tif 000039
【図３７】
2011065064.tif 000040
【図３８】
2011065064.tif 000041
【図３９】
2011065064.tif 000042
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなり、
上記輝度変化パターンは三角波状であることを特徴とする表示装置。
【請求項２】
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなり、
上記輝度変化パターンは正弦波状であることを特徴とする表示装置。
【請求項３】
アクティブマトリクス型の表示装置であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域が存在し、
各上記領域について、上記シーケンスとして、互いに上記輝度変化パターンが時間軸方向にずれているとともに上記領域ごとに定められた複数のシーケンスが存在し、上記領域の各上記第１の画素には上記複数の上記シーケンスのいずれか１つが割り当てられており、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とが互いに異なっており、
上記第１の画素は、表示色の構成成分をなすデータ色であって無彩色の場合も含めたデータ色ごとに設けられており、
各上記領域は、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなり、
上記輝度変化パターンは台形波状であることを特徴とする表示装置。
【請求項４】
各上記第１の画素において、上記シーケンスにおける輝度の平均値は、各上記Ａフレームにおける１≦ｊ≦Ａの各整数ｊに対応する第ｊフレームのそれぞれについて、各上記第ｊフレームの輝度の平均値と各上記第ｊフレームから上記シーケンスにおけるＡ／２フレーム後のフレームの輝度の平均値とが互いに等しい値である場合に上記互いに等しい値に一致することを除いては、上記シーケンスでの、各上記第ｊフレームの輝度の平均値と各上記第ｊフレームからＡ／２フレーム後のフレームの輝度の平均値との間にあることを特徴とする請求項１から３までのいずれか１項に記載の表示装置。
【請求項５】
少なくとも１つの上記領域において、
Ｑ＝０である上記配列パターンが設けられていることを特徴とする請求項１から４までのいずれか１項に記載の表示装置。
【請求項６】
少なくとも１つの上記領域において、
Ａ／２は偶数でありＡ／２は２以上であることを特徴とする請求項１から５までのいずれか１項に記載の表示装置。
【請求項７】
少なくとも１つの上記領域において、
上記輝度変化パターンが時間軸方向に互いにＡ／２フレームだけずれた異なる上記シーケンスで輝度変化する上記第１の画素を含む上記配列パターンが設けられていることを特徴とする請求項６に記載の表示装置。
【請求項８】
少なくとも１つの上記領域において、
上記複数のシーケンスは２つのシーケンスであり、各フレームにおいて、正極性のデータ信号が上記２つのシーケンスの一方で輝度変化する上記第１の画素に書き込まれるとともに、負極性のデータ信号が上記２つのシーケンスの他方で輝度変化する上記第１の画素に書き込まれることを特徴とする請求項１から７までのいずれか１項に記載の表示装置。
【請求項９】
少なくとも１つの上記領域において、
上記アレイ方向が列方向であって、
上記複数のシーケンスはＸ＝２となる２つのシーケンスであり、各フレームにおいて、正極性の書き込み極性となる上記第１の画素と負極性の書き込み極性となる上記第１の画素とが交互に配置され、互いに同極性の書き込み極性となる上記第１の画素が、同じデータ信号線に接続されていることを特徴とする請求項１から８までのいずれか１項に記載の表示装置。
【請求項１０】
少なくとも１つの上記領域において、
Ａに１フレーム期間を乗じた長さが１／７０秒よりも長く、１／３０秒に上記配列パターンに含まれる上記複数のシーケンスの数を乗じた値よりも短いことを特徴とする請求項１から９までのいずれか１項に記載の表示装置。
【請求項１１】
少なくとも１つの上記領域において、
上記複数のシーケンスの数はＡ／２のＲ乗（Ｒは正の整数）であることを特徴とする請求項１から１０までのいずれか１項に記載の表示装置。
【請求項１２】
Ｘは偶数であることを特徴とする請求項１から１１までのいずれか１項に記載の表示装置。
【請求項１３】
２Ｘフレームの期間が２４Ｈｚ以上で繰り返されることを特徴とする請求項１から１２までのいずれか１項に記載の表示装置。
【請求項１４】
少なくとも１つの上記領域において、
上記配列パターンは、各フレームで書き込み極性が互いに異なる、同じシーケンスで輝度変化する上記第１の画素を同数ずつ含むことを特徴とする請求項１から１３までのいずれか１項に記載の表示装置。
【請求項１５】
少なくとも１つの上記領域において、
上記配列パターンは、各フレームで同じ上記データ色の互いに異なる書き込み極性の上記第１の画素を同数ずつ含むことを特徴とする請求項１から１４までのいずれか１項に記載の表示装置。
【請求項１６】
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成し、
上記輝度変化パターンは三角波状であることを特徴とする表示装置の駆動方法。
【請求項１７】
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成し、
上記輝度変化パターンは正弦波状であることを特徴とする表示装置の駆動方法。
【請求項１８】
アクティブマトリクス型の表示装置を駆動する表示装置の駆動方法であって、
ある階調を一定期間表示する場合に、Ａフレーム（Ａは偶数）に亘る輝度変化パターンが上記Ａフレームの周期で繰り返されるシーケンスで輝度変化する第１の画素の配列で構成される領域を存在させ、
各上記領域について、上記シーケンスとして、互いに上記輝度変化パターンが時間軸方向にずれているとともに上記領域ごとに定められた複数のシーケンスを存在させ、上記領域の各上記第１の画素には上記複数の上記シーケンスのいずれか１つを割り当て、
各上記第１の画素において、各上記Ａフレームにおける１≦ｊ≦Ａの整数ｊの少なくとも１つに対応する第ｊフレームのそれぞれについて、上記シーケンスでの、各上記第ｊフレームの輝度の平均値と各上記第ｊフレームからＡ／２フレーム後のフレームの輝度の平均値とを互いに異ならせ、
上記第１の画素を、表示色の構成成分をなすデータ色であって無彩色の場合も含めたデータ色ごとに設け、
各上記領域を、行方向と列方向とをそれぞれ１つのアレイ方向としたとき、上記データ色ごとに見て少なくとも一方の上記アレイ方向のそれぞれについて、上記領域ごとに定められたＱ（Ｑは０以上の整数）を用いてＸ＝Ａ／２＋Ａ・Ｑで表される、上記アレイ方向に連続するＸ個の上記第１の画素からなる配列パターンが、上記アレイ方向に繰り返されてなるように形成し、
上記輝度変化パターンは台形波状であることを特徴とする表示装置の駆動方法。
【請求項１９】
各上記第１の画素において、上記シーケンスにおける輝度の平均値を、各上記Ａフレームにおける１≦ｊ≦Ａの各整数ｊに対応する第ｊフレームのそれぞれについて、各上記第ｊフレームの輝度の平均値と各上記第ｊフレームから上記シーケンスにおけるＡ／２フレーム後のフレームの輝度の平均値とが互いに等しい値である場合に上記互いに等しい値に一致させることを除いては、上記シーケンスでの、各上記第ｊフレームの輝度の平均値と各上記第ｊフレームからＡ／２フレーム後のフレームの輝度の平均値との間とすることを特徴とする請求項１６から１８までのいずれか１項に記載の表示装置の駆動方法。
【請求項２０】
少なくとも１つの上記領域において、
Ｑ＝０である上記配列パターンを設けることを特徴とする請求項１６から１９までのいずれか１項に記載の表示装置の駆動方法。
【請求項２１】
少なくとも１つの上記領域において、
Ａ／２は偶数でありＡ／２は２以上であることを特徴とする請求項１６から２０までのいずれか１項に記載の表示装置の駆動方法。
【請求項２２】
少なくとも１つの上記領域において、
上記輝度変化パターンが時間軸方向に互いにＡ／２フレームだけずれた異なる上記シーケンスで輝度変化する上記第１の画素を含む上記配列パターンを設けることを特徴とする請求項２１に記載の表示装置の駆動方法。
【請求項２３】
少なくとも１つの上記領域において、
上記複数のシーケンスの数は２つのシーケンスであり、各フレームにおいて、正極性のデータ信号を上記２つのシーケンスの一方で輝度変化する上記第１の画素に書き込むとともに、負極性のデータ信号を上記２つのシーケンスの他方で輝度変化する上記第１の画素に書き込むことを特徴とする請求項１６から２２までのいずれか１項に記載の表示装置の駆動方法。
【請求項２４】
少なくとも１つの上記領域において、
上記アレイ方向が列方向であって、
上記複数のシーケンスはＸ＝２となる２つのシーケンスであり、各フレームにおいて、正極性の書き込み極性となる上記第１の画素と負極性の書き込み極性となる上記第１の画素とが交互に配置され、互いに同極性の書き込み極性となる上記第１の画素が、同じデータ信号線に接続されていることを特徴とする請求項１６から２３までのいずれか１項に記載の表示装置の駆動方法。
【請求項２５】
少なくとも１つの上記領域において、
Ａに１フレーム期間を乗じた長さは１／７０秒よりも長く、１／３０秒に上記配列パターンに含まれる上記複数のシーケンスの数を乗じた値よりも短いことを特徴とする請求項１６から２４までのいずれか１項に記載の表示装置の駆動方法。
【請求項２６】
少なくとも１つの上記領域において、
上記複数のシーケンスの数はＡ／２のＲ乗（Ｒは正の整数）であることを特徴とする請求項１６から２５までのいずれか１項に記載の表示装置の駆動方法。
【請求項２７】
Ｘは偶数であることを特徴とする請求項１６から２６までのいずれか１項に記載の表示装置の駆動方法。
【請求項２８】
２Ｘフレームの期間を２４Ｈｚ以上で繰り返すことを特徴とする請求項１６から２７までのいずれか１項に記載の表示装置の駆動方法。
【請求項２９】
少なくとも１つの上記領域において、
上記配列パターンは、各フレームで書き込み極性が互いに異なる、同じシーケンスで輝度変化する上記第１の画素を同数ずつ含むことを特徴とする請求項１６から２８までのいずれか１項に記載の表示装置の駆動方法。
【請求項３０】
少なくとも１つの上記領域において、
上記配列パターンは、各フレームで同じ上記データ色の互いに異なる書き込み極性の上記第１の画素を同数ずつ含むことを特徴とする請求項１６から２９までのいずれか１項に記載の表示装置の駆動方法。
【国際調査報告】
2011065064.tif 000043
2011065064.tif 000044
2011065064.tif 000045
2011065064.tif 000046